(57)【要約】無線ネットワークインフラストラクチャに関連した無線通信装置（ＷＣＤ）の位置、速度、または双方に基づいて無線通信システム用の動作モードを決定するための方法および装置を説明する。選択されたモードは通信システム内の種々の装置で使用することができる。選択されたモードは送信ダイバーシチおよびサイト選択ダイバーシチを含む。
2006505231.tif 000002
【特許請求の範囲】
【請求項１】
無線通信システムにおける適切な送信モードの選択方法であって、
無線ネットワークインフラストラクチャに関連した移動無線通信装置（ＷＣＤ）の位置を決定することと、
無線環境の予測可能性を推定することと、
推定された予測可能性に基づき適切な動作モードを選択することとを含む方法。
【請求項２】
選択された動作モードが、送信ダイバーシチモードである請求項１に記載の方法。
【請求項３】
送信ダイバーシチモードが、開ループダイバーシチモードである請求項２に記載の方法。
【請求項４】
開ループダイバーシチモードが、時空間送信ダイバーシチモードである請求項３に記載の方法。
【請求項５】
開ループダイバーシチモードが、ビーム成形アンテナの使用をさらに含む請求項３に記載の方法。
【請求項６】
ビーム成形アンテナが、スマートアンテナである請求項５に記載の方法。
【請求項７】
ビーム成形アンテナが、ＷＣＤ内にある請求項５に記載の方法。
【請求項８】
ビーム成形アンテナが、無線ネットワークインフラストラクチャ内にある請求項５に記載の方法。
【請求項９】
送信ダイバーシチモードが、閉ループダイバーシチモードである請求項２に記載の方法。
【請求項１０】
選択された動作モードが、サイト選択ダイバーシチモードである請求項１に記載の方法。
【請求項１１】
移動ＷＣＤの位置が、ＷＣＤ内で決定される請求項１に記載の方法。
【請求項１２】
移動ＷＣＤの位置が無線ネットワークインフラストラクチャ内で決定される請求項１に記載の方法。
【請求項１３】
無線通信システムにおける適切な送信ダイバーシチモードの選択方法であって、
無線ネットワークインフラストラクチャに関連した移動無線通信装置（ＷＣＤ）の速度を決定することと、
無線環境の予測可能性を推定することと、
推定された予測可能性に基づき適切なダイバーシチ動作モードを選択することとを含む方法。
【請求項１４】
選択されたダイバーシチ動作モードが、送信ダイバーシチモードである請求項１３に記載の方法。
【請求項１５】
送信ダイバーシチモードが、開ループダイバーシチモードである請求項１４に記載の方法。
【請求項１６】
開ループダイバーシチモードが、時空間送信ダイバーシチモードである請求項１５に記載の方法。
【請求項１７】
開ループダイバーシチモードが、ビーム成形アンテナの使用をさらに含む請求項１５に記載の方法。
【請求項１８】
ビーム成形アンテナが、スマートアンテナである請求項１７に記載の方法。
【請求項１９】
ビーム成形アンテナが、ＷＣＤ内にある請求項１７に記載の方法。
【請求項２０】
ビーム成形アンテナが、無線ネットワークインフラストラクチャ内にある請求項１７に記載の方法。
【請求項２１】
送信ダイバーシチモードが、閉ループダイバーシチモードである請求項１４に記載の方法。
【請求項２２】
選択された動作モードが、サイト選択ダイバーシチモードである請求項１３に記載の方法。
【請求項２３】
移動ＷＣＤの速度が、ＷＣＤ内で決定される請求項１３に記載の方法。
【請求項２４】
移動ＷＣＤの速度が無線ネットワークインフラストラクチャ内で決定される請求項１３に記載の方法。
【請求項２５】
無線通信システムにおける適切な送信ダイバーシチモードの選択方法であって、
少なくとも２つのビーコン信号を送信することと、
少なくとも２つのビーコン信号を受信し、受信信号間の位相関係を決定することと、
無線環境の予測可能性を推定することと、
受信信号間の位相関係に基づきアンテナビームパターンを調整することとを含む方法。
【請求項２６】
アンテナが、ＷＣＤ内にある請求項２５に記載の方法。
【請求項２７】
アンテナが、無線ネットワークインフラストラクチャ内にある請求項２５に記載の方法。
【請求項２８】
ビーコン信号が、ＷＣＤによって送信される請求項２５に記載の方法。
【請求項２９】
ビーコン信号が、無線ネットワークインフラストラクチャによって受信される請求項２５に記載の方法。
【請求項３０】
ビーコン信号が、無線ネットワークインフラストラクチャによって送信される請求項２５に記載の方法。
【請求項３１】
ビーコン信号が、ＷＣＤによって受信される請求項２５に記載の方法。
【請求項３２】
無線ネットワークインフラストラクチャと交信するための送信機および受信機と、
無線ネットワークインフラストラクチャに関連したＷＣＤの位置に基づいて無線環境の予測可能性を推定するように、および、その推定に基づいてＷＣＤとインフラストラクチャとの間で信号を伝達する際に用いるための適切なダイバーシチ動作モードを選択するように構成された制御器とを含む無線通信装置（ＷＣＤ）。
【請求項３３】
選択されたダイバーシチ動作モードが、送信ダイバーシチモードである請求項３２に記載のＷＣＤ。
【請求項３４】
選択されたダイバーシチ動作モードが、サイト選択ダイバーシチモードである請求項３２に記載のＷＣＤ。
【請求項３５】
無線ネットワークインフラストラクチャと交信するための送信機および受信機と、
無線ネットワークインフラストラクチャに関連したＷＣＤの速度に基づいて無線環境の予測可能性を推定するように、および、その推定に基づいてＷＣＤとインフラストラクチャとの間で信号を伝達する際に用いるための適切なダイバーシチ動作モードを選択するように構成された制御器とを含む無線通信装置（ＷＣＤ）。
【請求項３６】
選択されたダイバーシチ動作モードが、送信ダイバーシチモードである請求項３５に記載のＷＣＤ。
【請求項３７】
選択されたダイバーシチ動作モードが、サイト選択ダイバーシチモードである請求項３５に記載のＷＣＤ。
【請求項３８】
無線通信装置（ＷＣＤ）と交信するための送信機および受信機と、
無線ネットワークインフラストラクチャに関連したＷＣＤの位置に基づいて無線環境の予測可能性を推定するように、および、その推定に基づいてＷＣＤとインフラストラクチャとの間で信号を伝達する際に用いるための適切なダイバーシチ動作モードを選択するように構成された制御器とを含む無線ネットワークインフラストラクチャ。
【請求項３９】
選択されたダイバーシチ動作モードが、送信ダイバーシチモードである請求項３８に記載の無線ネットワークインフラストラクチャ。
【請求項４０】
選択されたダイバーシチ動作モードが、サイト選択ダイバーシチモードである請求項３８に記載の無線ネットワークインフラストラクチャ。
【請求項４１】
無線通信装置（ＷＣＤ）と交信するための送信機および受信機と、
無線ネットワークインフラストラクチャに関連したＷＣＤの速度に基づいて無線環境の予測可能性を推定するように、および、その推定に基づいてＷＣＤとインフラストラクチャとの間で信号を伝達する際に用いるための適切なダイバーシチ動作モードを選択するように構成された制御器とを含む無線ネットワークインフラストラクチャ。
【請求項４２】
選択されたダイバーシチ動作モードが、送信ダイバーシチモードである請求項４１に記載の無線ネットワークインフラストラクチャ。
【請求項４３】
選択されたダイバーシチ動作モードが、サイト選択ダイバーシチモードである請求項４１に記載の無線ネットワークインフラストラクチャ。
【請求項４４】
無線ネットワークインフラストラクチャに関連した移動無線通信装置（ＷＣＤ）の位置を決定するための手段と、
位置に基づいて無線環境の予測可能性を推定するための手段と、
インフラストラクチャに関連したＷＣＤの位置に基づいて適切なダイバーシチ動作モードを選択するための手段とを含む無線通信システム。
【請求項４５】
無線ネットワークインフラストラクチャに関連した移動無線通信装置（ＷＣＤ）の速度を決定するための手段と、
速度に基づいて無線環境の予測可能性を推定するための手段と、
インフラストラクチャに関連したＷＣＤの速度に基づいて適切なダイバーシチ動作モードを選択するための手段とを含む無線通信システム。
【請求項４６】
無線ネットワークインフラストラクチャと無線通信装置の間に少なくとも２つのビーコン信号を送信するための手段と、
少なくとも２つのビーコン信号を受信し、受信信号間の位相関係を決定するための手段と、
無線環境の予測可能性を推定するための手段と、
受信信号間の位相関係に基づいてアンテナビームパターンを調整するための手段とを含む無線通信システム。
【請求項４７】
無線ネットワークインフラストラクチャとの交信信号を送信し、受信するための手段と、
無線ネットワークインフラストラクチャに関連したＷＣＤの位置に基づいて無線環境の予測可能性を推定し、その推定に基づいてＷＣＤとインフラストラクチャとの間で信号を交信する際に用いるための適切なダイバーシチ動作モードを選択するための手段とを含む無線通信装置（ＷＣＤ）。
【請求項４８】
無線ネットワークインフラストラクチャとの交信信号を送信し、受信するための手段と、
無線ネットワークインフラストラクチャに関連したＷＣＤの速度に基づいて無線環境の予測可能性を推定し、その推定に基づいてＷＣＤとインフラストラクチャとの間で信号を交信する際に用いるための適切なダイバーシチ動作モードを選択するための手段とを含む無線通信装置（ＷＣＤ）。
【請求項４９】
無線通信装置（ＷＣＤ）との交信信号を送信し、受信するための手段と、
無線ネットワークインフラストラクチャに関連したＷＣＤの位置に基づいて無線環境の予測可能性を推定し、その推定に基づいてＷＣＤとインフラストラクチャとの間で信号を交信する際に用いるための適切なダイバーシチ動作モードを選択するための手段とを含む無線ネットワークインフラストラクチャ。
【請求項５０】
無線通信装置（ＷＣＤ）との交信信号を送信し、受信するための手段と、
無線ネットワークインフラストラクチャに関連したＷＣＤの速度に基づいて無線環境の予測可能性を推定し、その推定に基づいてＷＣＤとインフラストラクチャとの間で信号を交信する際に用いるための適切なダイバーシチ動作モードを選択するための手段とを含む  無線ネットワークインフラストラクチャ。
【発明の詳細な説明】
【技術分野】
【０００１】
関連出願
この出願は、２００２年１０月２８日に出願された米国仮出願番号６０／４２２，０４４の優先権を主張する。
発明の分野
本発明は一般的には無線通信システムにおける通信装置の制御に関する。より詳細には、通信システムにおける動作モード選択に関する。
【背景技術】
【０００２】
無線通信システムにおいて、無線チャネル上の通信は、限られた周波数スペクトル内で多数のユーザを支援する種々の方法を用いることにより達成することができる。一般的に多元接続法と呼ばれるこれらの方法は、時分割多元接続（ＴＤＭＡ）、周波数分割多元接続（ＦＤＭＡ）、および符号分割多元接続（ＣＤＭＡ）を含む。
【０００３】
無線通信システムにおいて、基地局と無線通信装置（ＷＣＤ）の間を信号が伝搬するため、信号はいくつかの異なる伝搬経路を進むかもしれない。無線チャネルの特性によって発生するマルチパス信号は通信システムへ難しい問題を提示する。マルチパスチャネルの一つの特性は、そのチャネルで送信される信号に発生する時間拡散である。例えば、一個の理想インパルスがマルチパスチャネル上に送信される場合、受信信号はパルスストリームのように見える。マルチパスチャネルの別の特性はチャネルを経由する各経路が異なる減衰係数を与えるかもしれないということである。例えば、一個の理想インパルスがマルチパスチャネル上に送信される場合、受信パルスストリームの各パルスは、一般に、その他の受信パルスと異なる信号強度となる。マルチパスチャネルのさらに別の特性は、チャネルを経由する各経路が信号に異なる位相を与えるかもしれないということである。例えば、一個の理想インパルスがマルチパスチャネル上に送信されたとすると、受信パルスストリームの各パルスは、一般に、その他の受信パルスと異なる位相となる。
【０００４】
無線チャネルにおいて、マルチパスは環境内の障害物、例えば、ビルディング、木、車、人々などからの信号の反射によって発生する。従って、無線チャネルは、一般的には、無線通信ネットワークインフラストラクチャに関する移動無線通信装置と構造物の相対運動、およびそれによるマルチパスの生成による時間変動マルチパスチャネルである。このように、一個の理想インパルスが、時間変動マルチパスチャネル上を無線通信装置（ＷＣＤ）と無線ネットワークインフラストラクチャ間で伝送される場合、受信パルスストリームは、理想インパルスの送信時刻の関数として、遅延時間、減衰量および位相が変化する。
【０００５】
チャネルのマルチパス特性は、受信信号に影響し、特にマルチパス信号間の干渉を引き起こすかもしれない。一般的にフェージングと呼ばれる相殺的干渉はマルチパスチャネルの位相特性の結果である。マルチパスベクトルが相殺的に加算されると、それぞれのベクトルよりも小さい振幅の受信信号を生じ、フェードが発生する。例えば、第１の経路が減衰係数ＸｄＢ、遅延時間δ、移相量Θラジアンであり、第２の経路が同じく減衰係数ＸｄＢ、遅延時間δ、移相量はΘ＋πラジアンであり、正弦波がこれらの２経路を持つマルチパスチャネルを通じて送信される場合、等振幅、逆位相の２信号は相互に打ち消されるため、チャネル出力において信号は受信されない。このように、本例における極端な場合のフェージングは、無線通信システムの特性に厳しいマイナスの効果を及ぼすかもしれない。逆に、マルチパス信号が互に同相で到着する場合、マルチパス信号は加算的に干渉するかもしれない。その結果、受信信号強度のフェージングとは逆に受信信号強度が増加するかもしれない。
【０００６】
無線ネットワークインフラストラクチャ内のＷＣＤおよび送受信機ノードはしばしば異なる動作モードを有している。これらの動作モードはフェージングのような信号干渉がある場合、ＷＣＤとインフラストラクチャ間の信号伝送を改良するために用いるものである。そのような２つのモードは送信ダイバーシチとサイトダイバーシチである。送信ダイバーシチとは、基地局のようなインフラストラクチャ装置とＷＣＤ間に信号を伝送する方法を選択あるいは修正することをいう。サイトダイバーシチとは、ＷＣＤが交信する複数の基地局から適切な基地局を選択することをいう。ダイバーシチモードは、開ループまたは閉ループであるかもしれない。一般に、開ループダイバーシチは静的に相殺的干渉を回避しようとする。また、閉ループダイバーシチはＷＣＤで受信された信号の加算的干渉を得ようとする。
【０００７】
最適動作モードの選択は無線チャネルの信号環境に影響される。例えば、無線チャネルの信号伝送経路の状態が安定で、比較的変化がない場合、閉ループダイバーシチモードのような特定のダイバーシチモードを選択するのが望ましいかもしれない。閉ループが無線チャネルにおける変化を追跡できる場合、および閉ループダイバーシチは受信機において加算的干渉の利点があることから閉ループダイバーシチが望ましい場合、閉ループダイバーシチモードが選択されるかもしれない。無線チャネルの信号伝送経路の状態が急速に変化し、閉ループシステムがチャネルの信号経路変化を追跡できない場合、開ループダイバーシチモードのような異なるダイバーシチモードを選択するのが望ましいかもしれない。
【発明の開示】
【発明が解決しようとする課題】
【０００８】
したがって、当業者にとって、当該技術無線通信システムにおけるＷＣＤと無線ネットワークインフラストラクチャ間の通信のためのダイバーシチ動作モード選択を改良する方法が必要である。
【課題を解決するための手段】
【０００９】
無線ネットワークインフラストラクチャに関連した無線通信装置（ＷＣＤ）の位置、速度、または双方に基づいて無線通信システム用の動作モードを決定するための方法および装置を説明する。本発明の態様は、ＷＣＤの位置、速度、または双方を決定することを含む。位置、速度、または双方に基づいて無線環境の予測可能性の推定が行われる。無線環境の推定予測可能性に基づいて、適切なダイバーシチ動作モードが選択される。選択された動作モードは通信システムの中の種々の装置に用いることができる。例えば、ＷＣＤのダイバーシチ動作モードが選択されるかもしれない。または無線ネットワークインフラストラクチャ（単に「インフラストラクチャ」という）の種々のノードのダイバーシチ動作モードが選択されるかもしれない。
【００１０】
ＷＣＤの位置または速度を決定すること、および適切なダイバーシチ動作モードを選択することは、インフラストラクチャ内、ＷＣＤ内またはそれらの任意の組み合わせの種々の場所において実行されるかもしれない。例えば、一実施例において、ＷＣＤがその位置、速度、または双方を決定し、無線環境の予測可能性を推定し、その推定に基づいて適切なダイバーシチ動作モードを選択する。第２の実施例において、インフラストラクチャが、ＷＣＤの位置、速度、または双方を決定し、無線環境の予測可能性を推定し、その推定に基づいて適切なダイバーシチ動作モードを選択する。第３の実施例において、ＷＣＤがその位置、速度、または双方を決定し、その情報をインフラストラクチャに送信する。次に、インフラストラクチャが、無線環境の予測可能性を推定し、その推定に基づいて適切なダイバーシチ動作モードを選択する。第４の実施例において、インフラストラクチャが、ＷＣＤの位置、速度、または双方を決定し、その情報をＷＣＤに送信する。次にＷＣＤが、無線環境の予測可能性を推定し、その推定に基づいて適切なダイバーシチ動作モードを選択する。
【００１１】
適切なダイバーシチ動作モードの選択は適切な送信ダイバーシチの選択、または適切なサイト選択ダイバーシチの選択、または双方を含むかもしれない。適切な送信ダイバーシチの選択は、ダイバーシチ無し、時空間送信ダイバーシチ（ＳＴＴＤ）および固定並びにビーム偏向可能な指向性アンテナの利用のような開ループ送信ダイバーシチ、または閉ループ送信ダイバーシチを含むかもしれない。適切なサイト選択送信ダイバーシチの選択は、サイト選択ダイバーシチを有効または無効にすること、およびハードハンドオフ、ソフトハンドオフ並びにサイト選択ダイバーシチ送信（ＳＳＤＴ）のような閉ループサイト選択ダイバーシチを選択することを含むかもしれない。
【発明を実施するための最良の形態】
【００１２】
本発明の特徴と利点は、本発明の原理を例示する以下の好適な実施例の説明で明らかになるだろう。
移動ＷＣＤと基地局間のようなＷＣＤと無線ネットワークインフラストラクチャ間の通信のための送信ダイバーシチ並びにサイト選択ダイバーシチを含む、異なる動作モードの選択を改良する方法を説明する。通常、ＷＣＤおよび無線ネットワークインフラストラクチャの双方は種々の動作モード用に構成されるかもしれない。
【００１３】
本発明に従って、動作モードは無線環境の予測または推定に応じて選択される。動作モードはインフラストラクチャに関連した位置、速度、または双方に基づくことができる。予測または推定はＷＣＤとインフラストラクチャ間の信号経路状態に関連している。選択された動作モードは、例えば異なる形式の送信ダイバーシチ間の選択、または異なる形式のサイト選択ダイバーシチ間の選択、またはその双方を含むかもしれない。ＷＣＤがインフラストラクチャに関連してその位置を変えながら動き回り、またＷＣＤの速度が変化し、それによって移動ＷＣＤとインフラストラクチャ間の信号伝搬の状態が変化することに応じて、適切な動作モードは変るかもしれない。
【００１４】
インフラストラクチャに関連したＷＣＤの位置または速度の決定は、多くの異なる方法で実行することができる。例えば、全地球測位システム（ＧＰＳ）受信機、または他の形式の航法用受信機のような航法用受信機からＷＣＤ位置または速度の値を受け取るかもしれない。さらに、異なる、既知の時刻になされるＷＣＤの位置の少なくとも２つの測定値からＷＣＤの速度を決定するかもしれない。ＷＣＤの複数の位置測定値とそのそれぞれの測定時刻から速度を決定するかもしれない。位置測定値は、位置の完全な解であるかもしれないし、位置の解を計算するために用いる測定値であるかもしれない。例えば、ＷＣＤがＧＰＳ衛星からの擬似距離測定を行い、擬似距離測定値とそれに対応する測定時刻を無線ネットワークインフラストラクチャに伝送するかもしれない。インフラストラクチャでは、「擬似距離」測定値とインフラストラクチャにおいてＧＰＳ受信機から収集した追加的ＧＰＳ情報とを結合してＷＣＤの位置と速度を決定する。
【００１５】
別の例において、インフラストラクチャがＷＣＤから受信した信号について測定を行い、異なる時刻におけるＷＣＤの位置測定値を決定するかもしれない。インフラストラクチャが、ＷＣＤの速度を決定するかもしれないし、あるいはインフラストラクチャが位置測定値と対応する測定時刻をＷＣＤへ送信し、ＷＣＤがＷＣＤの速度を決定するかもしれない。
【００１６】
以下の説明において、本発明の種々の態様はＣＤＭＡに基づく無線通信システムを用いて説明される。しかしながら、本発明の態様は、ＣＤＭＡに基づく通信システムに限定されるものではない。また、他の通信技術に関連して用いられるかもしれない。
図１は本発明に従って動作する無線通信システム１０１の一部を示すブロック図である。無線通信システムは複数の基地局１０２を備えた無線ネットワークインフラストラクチャ、および複数の移動ＷＣＤ１０４を含む。基地局１０２からＷＣＤ１０４へ送信された信号１３２は、順方向回線の方向に送信されているという。ＷＣＤ１０４から基地局１０２へ送信された信号１３４は、逆方向回線の方向に送信されているという。図１に示すように、順方向回線と逆方向回線を進行する信号は、基地局１０２とＷＣＤの間の異なる複数の経路を進行するかもしれない。図１に示すように、順方向および逆方向回線の信号は障害物１５０から反射され、基地局１０２およびＷＣＤ１０４で受信される複数の信号が生じるかもしれない。これらの複数の信号を一般的に「マルチパス」信号という。障害物は信号を反射することに加え、信号が完全に遮断されてＷＣＤに達しないかもしれない。
【００１７】
ＷＣＤ１０４の例は携帯電話、衛星電話、無線通信可能なパーソナルコンピュータ、携帯情報端末（ＰＤＡ）、および他の無線装置を含む。障害物１５０の例はビルディング、木、車、および人々を含む。
無線通信システム１０１は、少なくとも一つの無線標準をサポートするように設計されるかもしれない。例えば、標準はＴＩＡ／ＥＩＡ−９５−Ｂ、（ＩＳ−９５）、ＴＩＡ／ＥＩＡ−９８−Ｃ、（ＩＳ−９８）、第３世代パートナーシッププロジェクト（３ＧＰＰ）、第３世代パートナーシッププロジェクト２（３ＧＰＰ２）、ＴＩＡ／ＥＩＡ／ＩＳ−２０００（ｃｄｍａ２０００）、広帯域ＣＤＭＡ（ＷＣＤＭＡ）、その他を含む。
【００１８】
図２は図１に示す無線通信システム１０１の一部の詳細を追加的に示すブロック図である。図２は図１の基地局１０２とＷＣＤ１０４をさらに示す。基地局１０２には、送信機２１２、受信機２１４、アンテナ２１５、セルサイトモデム（ＣＳＭ）２１６、メモリブロック２１８、制御器２２０が含まれる。ＷＣＤ１０４は受信機２２２、送信機２２４、アンテナ２２５、移動局モデム（ＭＳＭ）２２６、メモリブロック２２７、および制御器２２８を含む。メモリブロック２１８と２２７は特にプログラム命令を格納する。基地局メモリブロック２１８とＷＣＤメモリブロック２２７に格納されたプログラム命令を、それぞれ基地局制御器またはＷＣＤ制御器によって実行することによって、基地局１０２またはＷＣＤ１０４が、ここに説明した方法で動作することができる。
【００１９】
基地局アンテナ２１５、またはＷＣＤアンテナ２２５、または双方は、例えばここにそのまま取り入れたJoseph C. Liberti, Jr. と Theodore S. Rappaportによる「Smart Antennas for Wireless Communications: IS-95 and Third Generation CDMA Application（無線通信用スマートアンテナ：  ＩＳ−９５および第３世代ＣＤＭＡへの応用）」中に記述されているスマートアンテナのような指向性アンテナであるかもしれない。
【００２０】
基地局１０２は航法用受信機２４０を含むかもしれないし、ＷＣＤ１０４は航法用受信機２４２を含むかもしれないし、または基地局１０２とＷＣＤ１０４の双方が航法用受信機２４０、２４２をそれぞれ含むかもしれない。基地局１０２とＷＣＤ１０４に含まれるかもしれない航法用受信機の例は、ＧＰＳ受信機、ロラン受信機、ＧＬＯＮＡＳＳ受信機、ネットワークインフラストラクチャを用いてＷＣＤの速度を決定するシステム、および航法用受信機の種々の組み合わせを用いるハイブリッドシステムを含む。基地局１０２およびＷＣＤ１０４内の制御器２２０および２２８は、ＷＣＤの速度に関する情報を受け取り、動作調整を定めるように構成されるかもしれない。
【００２１】
無線通信システム内の移動ＷＣＤもしくは移動端末の位置、速度、もしくは双方に関する知識は、無線環境の安定性に関する推定の生成に利用できる。推定された安定性およびＷＣＤの位置並びに速度は、無線環境に関する予測のために用いられる。予測を用いて、ＷＣＤ、インフラストラクチャ、または双方で用いられる動作モードの改良された選択が行われる。例えば、ＷＣＤの位置、速度、または双方に関する知識は、適切な送信ダイバーシチモードまたはサイト選択ダイバーシチまたは双方の選択のために用いることができる。
【００２２】
図３は無線通信システム１０１のインフラストラクチャに関連したＷＣＤの位置および速度に基づいて動作モードを選択するための方法を示すフロー図である。フローはブロック３０２で始まる。ブロック３０４において、インフラストラクチャに関連したＷＣＤの位置と速度が決定される。ブロック３０６において、無線環境の予測可能性の推定をする。
【００２３】
無線環境の予測可能性は局地的地理、ＷＣＤとインフラストラクチャ間の距離、ＷＣＤの位置における地形およびそれと同等のものような多くの要素に依存する。例えば、ＷＣＤが大都市内または密集都市環境のように多くの障害物がある地域で動作している場合、ＷＣＤと他の障害物が動き回るのに従い、マルチパスが変化するため無線環境は通常安定性がほとんど無いだろう。逆に、ＷＣＤが障害物がほとんど無い砂漠地域のような開けた地域で動作している場合、通常、無線環境はより安定性があるだろう。さらに、ＷＣＤがセル境界の近くに位置している場合、ＷＣＤはカバレッジ領域から出たり入ったりすると思われる。無線環境の正確な予測をする能力は無線環境の安定性によって影響される。例えば、ＷＣＤが無線環境が非常に安定している領域で動作している場合、無線環境はしばらくの間本質的に変化せず、比較的予測可能であると思われる。予測のできる期間は、ＷＣＤが位置している場所の地理並びに地形、およびＷＣＤの速度のような要素によってミリ秒から秒の間変化するかもしれない。逆に、ＷＣＤが、無線環境が急速に変化して非常に不安定である領域で動作している場合、無線環境は変化し続け、予測できなくなると思われる。
【００２４】
無線環境の予測はＷＣＤの速度によっても影響される。例えば、ＷＣＤが無線環境が安定している領域にあり、ＷＣＤが動いていない、またはゆっくり動いている場合、無線環境は安定しており予測可能と思われる。しかしながら、ＷＣＤが急速に動いている場合、局所的地理と地形によって、ＷＣＤは無線環境が異なる位置へ移動すると思われる。ＷＣＤがより高速になると、不確実性が加わり、無線環境はより予測できないようになる。
【００２５】
いくつかの状況において、無線環境を予測するために１つの要素だけが用いられるかもしれない。一方他の状況では、複数の要素が用いられるかもしれない。例えば、ＷＣＤが都市内のように地形が既知の領域に位置している場合、無線環境が「都市の谷間」およびそれに類似したものにより不安定でありかつ変化すると予測されるかもしれない。逆に、ＷＣＤが砂漠地域などの障害物がほとんど無いことが既知である領域に位置している場合、無線環境が安定しており、かつ一定であると予測されるかもしれない。同様に、ＷＣＤが安定した無線環境の領域に位置しているが、不安定な無線領域へ移動することが分かっている場合、不安定な無線環境における動作に適した動作モードが選択されるかもしれない。無線環境の予測をより良くし、総合システム性能を向上させるために、種々の場所における典型的な無線環境に関する知識のような要素と共に、ＷＣＤの位置と速度に関する知識を用いるかもしれない。例えば、無線環境に関する予測がなされる頻度は可変であって、ＷＣＤが既知の安定領域にあるときは頻度を少なくし、それによってシステムオーバヘッドを減少させ、または不安定領域においては増加させ、それによって、特性を向上させることができる。
【００２６】
図３に戻り、ボックス３０８で、無線環境の予測可能性に基づいて適切な動作モードが選択される。上述したように、動作モードは送信ダイバーシチまたはサイト選択ダイバーシチを含むかもしれない。
送信ダイバーシチモード
ＷＣＤが動き回り、インフラストラクチャに関連したそれらの位置が変化するのに応じて、送信ダイバーシチの適切なモードを選択すると、システム性能を改良することができる。送信ダイバーシチの例は、ダイバーシチ無し、時空間送信ダイバーシチ（ＳＴＴＤ）、固定並びにビーム偏向可能な指向性アンテナを用いた空間ダイバーシチ、および閉ループダイバーシチを含む。
【００２７】
通常、送信ダイバーシチ無しが選択されている場合、全方向性アンテナとして構成されたアンテナを用いて、信号はＷＣＤと基地局間を伝送される。送信ダイバーシチ無しが選択されていることに伴う問題は、上述したように、マルチパス信号が受信機において相互に相殺的干渉を起こし、受信機での信号レベルの低下をもたらす可能性があるということである。相殺的干渉に対処するために用いる方法はＳＴＴＤ、すなわち異なるアンテナから異なる時刻に複素シンボルとその共役シンボルを送信することによって空間ダイバーシチを導入する開ループ送信ダイバーシチモードである。ＳＴＴＤの詳細な説明は欧州電気通信標準化機構（ＥＴＳＩ）で得られる電気通信標準である「ＷＣＤＭＡ」にあるかもしれない。これらの２つの送信ダイバーシチモード（ダイバーシチ無しおよびＳＴＴＤ）はいずれもビーム指向方法を用いない。
【００２８】
動作モード選択は、指向性アンテナを利用することによって無線通信を向上させるシステムに適用されるかもしれない。例えば、信号を送信するために指向性アンテナを用いると、信号の拡散が減少し、かつ送信信号が占める体積が減少し、その結果、その体積内の信号の電力束密度、または電力が増加する。同様に、信号を受信するために指向性アンテナを用いると、受信機によって「見られる」体積が減少し、その結果、受信機に入る干渉量は減少する。典型的な無線通信システムには、多くの同時ユーザがおり、またこれらの複数の同時ユーザへ送信された、およびこれらの複数の同時ユーザから送信された信号は相互に干渉するかもしれない。指向性アンテナを用いると、干渉を抑圧することができる。その理由は、アンテナビームパターンはカバーする体積内の信号および雑音のみが受信機に入力できるようにし、ビームパターン体積の外部の信号および雑音を除去するからである。したがって、干渉を抑圧することによって、指向性アンテナは、それを用いなければ不安定な無線環境を、より安定にするかもしれない。無線環境の安定性を向上することによって、より良い予測が可能となるかもしれない。
【００２９】
指向性アンテナを用いることの問題は、ＷＣＤがインフラストラクチャに関連して動き回ると、ＷＣＤがアンテナビームパターンのカバレッジエリアへ入ったり出たりするかもしれないということである。通常、ＷＣＤがアンテナビームパターンから出る場合、インフラストラクチャは通信チャネルを異なるアンテナに「ハンドオーバ」しなければならない。異なるアンテナとは、ＷＣＤが位置しているところをカバーするビームパターンを有する別の指向性アンテナ、または、全方向性ビームパターンを有する無指向性アンテナのいずれかである。
【００３０】
ＷＣＤがアンテナビームパターンのカバレッジエリアから出るという問題を解決するためにビーム偏向可能な指向性アンテナを用いるかもしれない。ビーム偏向可能な指向性アンテナのアンテナビームパターンは、ＷＣＤとインフラストラクチャ間の適切な通信を維持するために方向を変えられる。例えば、ビーム偏向可能なアンテナが無線通信インフラストラクチャに用いられている場合、アンテナビームパターンはＷＣＤの位置をカバーするような方向に向いており、ＷＣＤの動きに応じて、アンテナビームパターンの方向を変えられる。同様に、ビーム偏向可能なアンテナがＷＣＤに用いられる場合、アンテナビームパターンはインフラストラクチャの受信機をカバーするような方向に向いており、ＷＣＤの動きに応じて、方向を変えられる。ビーム偏向可能なアンテナのビームパターンは、機械的または電気的に方向を変えることができる。
【００３１】
ビーム偏向可能なアンテナの１つの形式は「スマートアンテナ」である。スマートアンテナは複数素子から放射される位相を調整することにより指向性アンテナとして用いることのできる多素子アンテナである。ＷＣＤがインフラストラクチャに関連してセルを動き回るため、その位置に関する知識を用いて、基地局１０２は、ＷＣＤが位置している注目領域を常にカバーするためにスマートアンテナを調整するかもしれない。
【００３２】
ＷＣＤ内で類似の技術がスマートアンテナのようなビーム偏向可能な指向性を調整するために用いられるかもしれない。例えば、ＷＣＤがスマートアンテナを有している場合、ＷＣＤは、基地局が位置している領域をカバーするようにアンテナビームパターンを調整するために基地局に関連したＷＣＤの位置に関する知識を用いるかもしれない。基地局に関連したＷＣＤの位置はいくつかの異なる方法で決定できる。例えば、ＷＣＤは基地局の位置を含んでいるアルマナックを含むデータにアクセスするかもしれない。あるいは基地局がその位置をＷＣＤに伝達するかもしれない。指摘したように、アンテナビームパターンのカバーする領域を小さくすると、いつでも、信号強度が向上し、雑音と干渉が抑圧される。ＷＣＤは基地局に関連して動き回るのに応じて、ビームパターンを基地局に向かって方向を変えることができる。
【００３３】
システム１０１における別のダイバーシチモードは閉ループ送信ダイバーシチである。閉ループ送信ダイバーシチにおいては、送信信号が受信機で加算的に干渉するように、または大きくなるように調整される。一実施例において、基地局は「ビーコン」信号を少なくとも２個のアンテナからＷＣＤへ送信する。ＷＣＤはビーコン信号の位相関係を測定して、位相関係の値を基地局に送り返す。基地局は受信ビーコン信号の位相に関する知識を用いて、基地局がＷＣＤに送信する信号を、信号が加算的に干渉するように調整することができる。類似の技術がＷＣＤから基地局へ送信される信号を調整するために用いることができる。
【００３４】
インフラストラクチャに関連したＷＣＤの位置および速度に関する知識は送信ダイバーシチモードの選択をより良くすることができる。一般に、位置および速度情報は無線チャネルが安定かまたは急速に変化するかを推定するために用いることができる。例えば、ＷＣＤが高速度で動くか、またはＷＣＤが既知の不安定な無線チャネル特性を持つ特定の位置にある場合、ＷＣＤは「高速時間変動」無線環境にあると推定されるかもしれない。同様に、ＷＣＤがゆっくり移動しているか、またはＷＣＤが既知の安定な無線チャネル特性を持つ特定の位置にある場合、ＷＣＤは「緩やかな時間変動」無線環境にあると推定されるかもしれない。同様に、ＷＣＤが安定または不安定な既知の無線チャネル特性を持つ位置にあっても、ＷＣＤは移動しており、異なる特性を持つ位置へ入る。この知識は、どのような無線チャネル特性になるかのより良い予測を行い、それによってより良い動作モードを選択するために用いることができる。
【００３５】
時間変動チャネルの安定性の推定は選択される送信ダイバーシチモードを決定するために用いることができる。例えば、ＷＣＤが緩やかな時間変動無線環境にあると推定された場合、無線環境が特定の時間、例えば数ミリ秒、数秒、あるいは数分、の間予測可能なままであるという確実度が増加する。無線環境に関わる予測の確実度に基づいて、適切なダイバーシチモードが選択される。例えば、無線環境が予測可能と推定された場合、閉ループ法が、受信機で加算的干渉をもたらすため、望ましいかもしれない。無線環境が予測できず、その結果閉ループ送信ダイバーシチモードが無線環境の高速変化に追従できないと推定された場合、ＳＴＴＤまたは固定もしくはビーム偏向可能指向性アンテナのような開ループ送信ダイバーシチを用いることが好ましいかもしれない。
【００３６】
サイト選定ダイバーシチ
サイト選択ダイバーシチもシステム性能および効率を高めることができ、またＷＣＤ１０４の位置および速度に関する知識はサイトダイバーシチ動作モードの選択をより良くすることができる。システム１０１の移動ＷＣＤ１０４がインフラストラクチャに関連して動き回るため、ＷＣＤ１０４は、サイト選択ダイバーシチを用いて、交信する複数のインフラストラクチャ基地局１０２の一つを選択することができる。ＷＣＤ１０４が動き回るため、第１の基地局のカバレッジエリアまたはセルから第２の基地局のカバレッジエリアへ移動するかもしれない。基地局のカバレッジエリアはオーバラップしており、ＷＣＤが一つのセルから他のセルへ移動する時、ＷＣＤと基地局間の通信が「止まる」ことはないだろう。
【００３７】
１つのセルから別のセルへの切換のための技術は「ハードハンドオフ」、「ソフトハンドオフ」、およびサイト選定ダイバーシチ送信（ＳＳＤＴ）と呼ばれる「高速セル選択」を含む。ハードハンドオフサイト選定ダイバーシチ動作モードにおいて、ＷＣＤ１０４は単一の基地局と交信していても、周囲の、または、隣接した基地局からの信号強度をモニターするだろう。ＷＣＤが交信している基地局からの信号強度がしきい値より下に減少すると、ＷＣＤは交信をより高いモニター信号レベルを持つ隣接基地局に移すだろう。ＷＣＤが２つのセルの境界の近くにあり、その結果２つの基地局からの受信信号レベルがほぼ同じ値を変動する場合には、ハードハンドオフに関して問題が発生するかもしれない。信号の変動に応じて、ＷＣＤは２つの各セルの選択の間をいったり来たりするかもしれない。その結果、非効率的になり、かつ通信が止まる確率が上昇する。
【００３８】
「ソフトハンドオフ」サイトダイバーシチ動作モードにおいて、ＷＣＤは交信してきた最初の基地局と切換る予定の次の基地局の双方と交信するだろう。通常、隣接セルはそれらの境界がオーバラップしており、ＷＣＤが１つのセルから隣接セルへ通過する時、いずれかの基地局と交信できるようになっている。ソフトハンドオフにおいては、ＷＣＤが最初のセルから隣接セルへ移動するとき、短時間に切換ができるように双方の基地局と同時に交信するだろう。ＷＣＤが隣接セル基地局との安定した交信をサポートできるほどに隣接セルのカバレッジエリアに十分深く入った後は、最初のセルとの交信を切断するだろう。ソフトハンドオフはＷＣＤが２つの各セルの選択の間をいったり来たりすることに伴う問題を回避するが、ＷＣＤが２つのセルと同時に交信するため付加的インフラストラクチャ資源を必要とし、その結果、全体の通信システム容量を低下させる。
【００３９】
サイト選定ダイバーシチ送信（ＳＳＤＴ）において、ＷＣＤは、どの基地局がデータをＷＣＤへ送るかを決定する。通常、適切な基地局の決定は周期的に、例えば数ミリ秒毎に、更新される。
無線インフラストラクチャに関連したＷＣＤの位置と速度に関する知識は適切なサイト選択ダイバーシチモードの選択をより良くするために用いることができる。無線インフラストラクチャに関連したＷＣＤの位置と速度を用いて、無線チャネルの予測可能性の推定がなされ、その予測可能性に基づいて適切な動作モードを選択することができる。例えば、無線チャネルの予測可能性が大きいと推定される場合、ハードハンドオフサイトダイバーシチに類した遅い閉ループダイバーシチのような積極的なサイトダイバーシチモードが選択されるかもしれない。無線チャネルの予測可能性が小さいと推定される場合、ソフトハンドオフサイトダイバーシチに類した開ループ法のような保存的サイトダイバーシチモードが選択されるかもしれない。無線チャネルの予測可能性がある程度予測可能と推定される場合、ＳＳＴＤモードのような方法が用いられるかもしれない。ＳＳＴＤモードは、高速閉ループ法であって、無線環境が、ハードハンドオフサイトダイバーシチモードに必要とされるよりある程度予測可能性が小さく、しかしソフトハンドオフサイトダイバーシチモードが必要とされるほど予測可能性が小さくはない場合に、ＳＳＴＤモードは一般的に優れた信号伝達性能を提供する。いくつかの状況において、ＷＣＤの位置により、および無線環境が急速な時間変動である場合、サイト選択ダイバーシチを用いない方が望ましいかもしれない。
【００４０】
図３のブロック３０６に示し、また上で考察したように、インフラストラクチャに関連したＷＣＤの位置および速度は、無線環境がどれくらい急速に変化するかを推定するために用いることができる。例えば、ＷＣＤの位置が毎時５０ｋｍより大きい速度で変化する場合、システムは、無線の信号経路状態が急速に変化しており、したがって無線チャネルをおそらく予測できないだろうと決定するかもしれない。従ってシステムは、サイト選択ダイバーシチを用いないか、またはおそらくＳＳＴＤもしくはソフトハンドオフサイトダイバーシチモードを用いるだろう。逆に、ＷＣＤの位置が毎時２５ｋｍ未満の速度で変化する場合、システムは、無線の信号経路状態がおそらく緩やかに変化しており、したがって無線チャネルをおそらく予測可能だろうと決定するかもしれない。従って、システムはハードハンドオフまたはＳＳＴＤサイト選択ダイバーシチのような方法を用いるだろう。
【００４１】
図４は２つの隣接基地局４０２並びに４０４、およびそれぞれのカバレッジエリアまたはセル４１２並びに４１４を示すブロック図である。この例において、２つのセルは特に障害物および丘や谷のような地理的特徴のために対称ではない。２つのセルのカバレッジエリアは４２０で示した領域でオーバラップしている。すなわち、オーバラップ領域４２０の中では、ＷＣＤは４０２か４０４の基地局と交信することができる。
【００４２】
移動ＷＣＤ１０４が例えば、オーバラップ領域４２０を通る道路４３０に沿って経路をたどる場合、ＷＣＤは位置によって２つのセル４１２と４１４の間で何回か切換をするだろう。ＷＣＤが経路に沿って動くとき、ＷＣＤの速度とオーバラップ領域４２０を通る経路の長さによって、ハードハンドオフを用いる場合、ＷＣＤは２つのセルの間をいったり来たりするかもしれない。または、ソフトハンドオフを用いた場合は、双方のセルと全時間にわたり交信しているかもしれない。ＷＣＤの位置および速度を用いれば、ハードハンドオフ、ＳＳＴＤ、ソフトハンドオフを用いるか、または、サイトダイバーシチ動作モードを使用しないかの決定を改良することができる。
【００４３】
図５は図４のセル４１２と４１４のオーバラップ領域４２０の分解図である。オーバラップ領域４２０を通ってＷＣＤ１０４がたどる経路４３０を図示している。また、オーバラップ領域４２０内の種々の位置にあるＷＣＤ１０４を示している。ＷＣＤ１０４が第１の位置５０２にある場合、ＷＣＤはカバレッジエリア４１２の中にあり、第１の基地局４０２と交信するだろう。ＷＣＤ１０４が第２の位置５０６にある場合、ＷＣＤはカバレッジエリア４１４の中にあり、第２の基地局４０４と交信するだろう。ＷＣＤ１０４が第３の位置５１０へ移動する場合、ＷＣＤは第１のセル４１２のカバレッジエリアに再び入り、第１の基地局４０２との交信を再確立するだろう。
【００４４】
ＷＣＤ１０４がハードハンドオフサイトダイバーシチモードで動作している場合、ＷＣＤが第１の位置５０２から第２の位置５０６へ移動すると、２つのそれぞれのカバレッジエリア４１２および４１４の境界すなわち５２０で示される位置において、ＷＣＤは第１の基地局４０２から第２の基地局４０４への切換を行うだろう。ＷＣＤが第３の位置５１０へ移動を続けると、ＷＣＤはカバレッジセル４１４および４１２の境界すなわち５２２で示される位置において第１の基地局４０２のカバレッジエリア４１２へ再切換を行うだろう。ＷＣＤが、同じ経路をたどるがソフトハンドオフを用いている場合には、ＷＣＤは同じ切換を行うが、ただ一つの基地局と交信する代わりに、セルの境界５２０と５２２を通過する直前から直後まで、双方の基地局と交信するだろう。ＷＣＤがＳＳＤＴを用いている場合、ＷＣＤは、各位置におけるＷＣＤにどちらの基地局がデータを送るかを決定するだろう。
【００４５】
ＷＣＤ１０４がオーバラップ領域４２０を通って進行するとき、サイトダイバーシチを用い、ハードハンドオフ、ソフトハンドオフ、ＳＳＤＴサイトダイバーシチを許可するのが望ましいかもしれない。あるいは、サイトダイバーシチを無効にすることが望ましいかもしれない。ＷＣＤの位置および速度を用いて、無線チャネルの予測可能性の推定をすることができる。推定予測可能性を用いて、適切なサイト選択ダイバーシチモードを選択することができる。例えば、無線チャネルが、緩やかに時間変動し、予測可能であると推定される場合、ハードハンドオフサイトダイバーシチモードが選択されるかもしれない。ハードハンドオフサイトダイバーシチモードの選択は、例えば、ＷＣＤの速度およびＷＣＤが一つの基地局から別の基地局へ切換える割合に基づくかもしれない。
【００４６】
無線環境の推定予測可能性が、ハードまたはソフトハンドオフ法に要求される緩やかな時間変動率よりある程度高い率で変化する場合、ＳＳＴＤが用いられるかもしれない。ＳＳＴＤにおいて、ＷＣＤはある期間、例えば数ミリ秒の間、ＷＣＤへデータを送信するための適切な基地局を選択することができる。その期間の終わりに、ＷＣＤ１０４は、次の期間内にＷＣＤへデータを送信するための基地局を選択するだろう。選択された基地局は、前に選択された基地局と同じかまたは異なる基地局であるかもしれない。さらに、無線環境が急速に変化し、予測不能と推定されている場合、ソフトハンドオフサイトダイバーシチ動作モードを選択することが望ましいかもしれない。また、例えば、無線チャネルが極めて予測不能の場合、サイト選択ダイバーシチを用いないことが望ましいかもしれない。
【００４７】
図６は無線環境の予測に基づく動作モード選択のための方法の一実施例を示すフローチャートである。フローはブロック６００で始まる。ブロック６０２において、インフラストラクチャに関連したＷＣＤの位置および速度が決定される。フローはブロック６０４へ続く。ここでＷＣＤの位置および速度に関する知識を用いて、無線環境の安定性が決定される。次に、フローはブロック６０６へ続く。ここでインフラストラクチャに関連したＷＣＤの位置並びに速度、および無線環境の安定性に関する知識を用いて、無線チャネルの予測が行われる。ブロック６０６において無線環境が安定と予測される場合、フローはブロック６０８へ続く。ここで安定した無線環境で用いるための適切な動作モードが選択される。例えば、閉ループダイバーシチモードが選択されるかもしれない。ブロック６０６において無線環境が不安定と予測される場合、フローはブロック６１０へ続き、不安定な無線環境で用いるための適切な動作モードが選択される。例えば、ハードハンドオフ、ＳＳＴＤ、またはソフトハンドオフサイトダイバーシチモードが選択されるかもしれない。あるいは、ダイバーシチ無しモードが選択されるかもしれない。
【００４８】
当業者は、情報および信号は種々の異なる技術と方法を用いて表現されるかもしれないことを理解するだろう。例えば、上の説明中に参照されているかもしれないデータ、命令、コマンド、情報、信号、ビット、シンボル、およびチップは電圧、電流、電磁波、磁場、磁性粒子、光学場、光学粒子、またはそれらの任意の組み合わせで表現されるかもしれない。
【００４９】
当業者は、ここに開示された実施例に関して説明した種々の例示的論理的ブロック、モジュール、回路、およびアルゴリズムステップは電子的ハードウェア、コンピュータソフトウェア、または双方の組み合わせとして実施されるかもしれないことをさらに認識するだろう。ハードウェアとソフトウェアのこの互換性を明確に示すために、種々の例示的部品、ブロック、モジュール、回路、およびステップを一般的にそれらの機能の点から説明してきた。そのような機能がハードウェアまたはソフトウェアとして実施されるどうかは、特定の用途および全体のシステムに課された設計上の制約に依存する。当業者は各特定用途のために説明した機能を異なる方法で実施するかもしれない。しかし、そのような実施決定が本発明の範囲から逸脱することになると解釈されるべきではない。
【００５０】
ここに開示した本実施例に関して説明した種々の例示的論理的ブロック、モジュール、および回路は、汎用プロセッサ、ディジタル信号プロセッサ（ＤＳＰ）、特定用途向ＩＣ（ＡＳＩＣ）、プログラマブルゲートアレイ（ＦＰＧＡ）、他のプログラマブル論理デバイス、個別ゲートもしくはトランジスタ論理、個別ハードウェア部品、またはここに説明した機能を実行するように設計されたそれらの任意の組み合わせによって、実施または実行されるかもしれない。汎用プロセッサはマイクロプロセッサであるかもしれない。代替的には、プロセッサは、通常のプロセッサ、制御器、マイクロコントローラ、または状態機械であるかもしれない。プロセッサは、計算装置の組み合わせ、例えば、ＤＳＰおよびマイクロプロセッサの組み合わせ、複数のマイクロプロセッサ、ＤＳＰコアと組み合わせた少なくとも一つのマイクロプロセッサ、または他の同様の構成として実施されるかもしれない。
【００５１】
ここに開示した実施例に関して説明した方法または手法は、ハードウェア、プロセッサで実行されるソフトウェアモジュール、またはこの２つの組み合わせで直接具体化されるかもしれない。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当業者に周知のいかなる他の形式の記憶媒体の中にあるかもしれない。代表的記憶媒体は、プロセッサが記憶媒体から情報を読み込み、情報を書き込むことができるように構成される。代替的には、記憶媒体はプロセッサの構成部品であるかもしれない。プロセッサと記憶媒体はＡＳＩＣの中にあるかもしれない。ＡＳＩＣはユーザ端末内にあるかもしれない。代替的には、プロセッサおよび記憶媒体は個別部品としてユーザ端末内にあるかもしれない。
【００５２】
以上の説明は本発明の明確な実施例を詳細に述べている。しかしながら、上記説明がいかに詳細のように見えても、本発明の意図または本質的特性から逸脱することなく他の特定の形態で具体化されるかもしれないことが認識されるだろう。説明した実施例は、あらゆる点で単に例示的であって制限的ではないと考えられるべきであり、したがって、本発明の範囲は上述の説明ではなく添付の請求項で示される。請求項の均等物の趣旨および範囲に付随するすべての変更はそれらの範囲の中に包含されている。
【図面の簡単な説明】
【００５３】
【図１】本発明に従って動作する無線通信システムの一部を示すブロック図。
【図２】図１に示す無線通信システムの一部の詳細を追加的に示すブロック図。
【図３】図１に示す無線通信システムのインフラストラクチャに関連したＷＣＤの位置と速度に基づく動作モードの選択のための方法を示すフロー図。
【図４】２つの隣接基地局およびそれらのそれぞれのカバレッジエリアまたはセルを示すブロック図。
【図５】図４に示すカバレッジセルのオーバラップ領域の分解図。
【図６】無線環境の予測に基づき動作モードを選択するための方法の一実施例を示すフロー図。
【符号の説明】
【００５４】
１０１…無線通信システム、１０２、４０２、４０４…基地局、１０４、５０２、５０６、５１０…無線通信装置、４１２、４１４…セル、４２０…オーバラップ領域
【図１】
2006505231.tif 000003
【図２】
2006505231.tif 000004
【図３】
2006505231.tif 000005
【図４】
2006505231.tif 000006
【図５】
2006505231.tif 000007
【図６】
2006505231.tif 000008
【国際調査報告】
2006505231.tif 000009
2006505231.tif 000010
2006505231.tif 000011